(57)【要約】【課題】特定の領域に記入され、別の領域が空欄となっている原稿などの画像データを仕分けする際、作業者によるチェック作業を容易にすることができる情報処理装置を提供する。【解決手段】原稿の読み取りが指示されると、ＣＰＵ１１は、原稿給送装置にセットされた原稿を順次給送し、原稿の読み取りを開始させる（Ｓ３２）。ＣＰＵ１１は、読み取った１枚目の原稿、つまりスキャンチケットの画像の解析・認識処理を行い（Ｓ３３）、この認識結果を用いて、２枚目以降のチェック対象原稿に対し、解析・認識処理を行う（Ｓ３４）。ＣＰＵ１１は、この解析・認識処理による仕分け結果を用いて、指定された保存先に、仕分け情報が添付された画像データを保存する（Ｓ３８）。【選択図】図６
2011119895.tif 000002
【特許請求の範囲】
【請求項１】
原稿を読み取る読取手段を備え、前記読み取った原稿の画像データを処理する情報処理装置において、
前記画像データの判定処理に用いられる判定処理内容を保持する保持手段と、
前記保持手段によって保持された判定処理内容に従って、前記画像データの判定処理を行う判定手段と、
前記判定処理の結果、前記画像データを仕分けする仕分け手段と、
前記判定処理内容および前記判定処理の結果の少なくとも一方から、仕分け情報を生成する情報生成手段と、
前記仕分け手段によって仕分けされた画像データに、前記仕分け情報を付加する情報付加手段とを備えたことを特徴とする情報処理装置。
【請求項２】
前記判定処理内容が記述されたチケットを作成する作成手段と、
前記作成手段によって作成されたチケットを印刷する印刷手段と、
前記印刷手段によって印刷されたチケットを読み取る第２の読取手段と、
前記第２の読取手段によって読み取られたチケットから前記判定処理内容を解析する解析手段とを備え、
前記保持手段は、前記解析手段によって解析された判定処理内容を保持することを特徴とすることを特徴とする請求項１記載の情報処理装置。
【請求項３】
前記作成手段は、テンプレートとなる原稿に処理指示情報が書き込まれた処理指示書を読み込む読込手段を備え、前記読み込まれた処理指示書における処理対象の領域を特定し、前記特定された処理対象の領域の内容を解析して前記チケットを作成することを特徴とする請求項２記載の情報処理装置。
【請求項４】
前記原稿に含まれる色成分を、前記情報処理装置に登録されている前記処理指示情報の指示色の色成分と異ならせるように変換し、前記色成分が変換されたテンプレートとなる原稿を印刷する第２の印刷手段を備え、
前記読込手段は、前記色成分が変換されたテンプレートとなる原稿に前記処理指示情報が書き込まれた処理指示書を読み込むことを特徴とする請求項３記載の情報処理装置。
【請求項５】
前記仕分けされた画像データとともに、前記画像データに付加された仕分け情報を印刷する第３の印刷手段を備えたことを特徴とする請求項１記載の情報処理装置。
【請求項６】
前記情報付加手段によって前記仕分け情報が付加された前記画像データを、前記情報処理装置に付属された記憶装置に保存する保存手段を備えたことを特徴とする請求項１記載の情報処理装置。
【請求項７】
前記情報付加手段によって前記仕分け情報が付加された前記画像データを、前記情報処理装置にネットワークを介して接続された記憶装置に保存する保存手段を備えたことを特徴とする請求項１記載の情報処理装置。
【請求項８】
前記情報付加手段によって前記仕分け情報が付加された前記画像データを、前記情報処理装置が持つ電子メール送信機能により特定の宛先に送信する送信手段を備えたことを特徴とする請求項１記載の情報処理装置。
【請求項９】
前記情報生成手段は、前記仕分け情報に、前記読み取った画像データのページ数を含めることを特徴とする請求項１記載の情報処理装置。
【請求項１０】
前記情報生成手段は、前記仕分け情報に、前記仕分け手段によって仕分けされた画像データのページ数を含めることを特徴とする請求項１記載の情報処理装置。
【請求項１１】
前記情報生成手段は、前記仕分け情報に、前記仕分け手段によって仕分けされた画像データが保存されている場所を特定する情報を含めることを特徴とする請求項１記載の情報処理装置。
【請求項１２】
前記情報生成手段は、前記仕分け情報に、前記保持手段によって保持されている判定処理内容を含めることを特徴とする請求項１記載の情報処理装置。
【請求項１３】
前記情報生成手段は、前記仕分け情報に、前記保持手段によって保持されている判定処理内容が保存されている場所を特定する情報を含めることを特徴とする請求項１記載の情報処理装置。
【請求項１４】
前記情報付加手段は、前記情報生成手段によって生成された前記仕分け情報を、前記仕分け手段によって仕分けされた画像データの先頭ページに付加することを特徴とする請求項１記載の情報処理装置。
【請求項１５】
前記情報付加手段は、前記情報生成手段によって生成された前記仕分け情報を、前記仕分け手段によって仕分けされた画像データの最終ページに付加することを特徴とする請求項１記載の情報処理装置。
【請求項１６】
前記情報付加手段は、前記情報生成手段によって生成された前記仕分け情報を、前記仕分け手段によって仕分けされた画像データに属性情報として付加することを特徴とする請求項１記載の情報処理装置。
【請求項１７】
原稿を読み取る読取手段を備え、前記読み取った原稿の画像データを処理する情報処理装置の制御方法において、
前記情報処理装置の記憶媒体に、前記画像データの判定処理に用いられる判定処理内容を保持する保持ステップと、
前記保持ステップで保持された判定処理内容に従って、前記画像データの判定処理を行う判定ステップと、
前記判定処理の結果、前記画像データを仕分けする仕分けステップと、
前記判定処理内容および前記判定処理の結果の少なくとも一方から、仕分け情報を生成する情報生成ステップと、
前記仕分けステップで仕分けされた画像データに、前記仕分け情報を付加する情報付加ステップとを有することを特徴とする情報処理装置の制御方法。
【請求項１８】
原稿を読み取る読取手段を備え、前記読み取った原稿の画像データを処理する情報処理装置の制御方法をコンピュータに実行させるプログラムにおいて、
前記制御方法は、
前記情報処理装置の記憶媒体に、前記画像データの判定処理に用いられる判定処理内容を保持する保持ステップと、
前記保持ステップで保持された判定処理内容に従って、前記画像データの判定処理を行う判定ステップと、
前記判定処理の結果、前記画像データを仕分けする仕分けステップと、
前記判定処理内容および前記判定処理の結果の少なくとも一方から、仕分け情報を生成する情報生成ステップと、
前記仕分けステップで仕分けされた画像データに、前記仕分け情報を付加する情報付加ステップとを有することを特徴とするプログラム。
【発明の詳細な説明】
【技術分野】
【０００１】
本発明は、読み取った原稿の画像データを処理する情報処理装置、その制御方法およびプログラムに関する。
【背景技術】
【０００２】
従来、スキャナによって帳票や回答用紙等の原稿を読み取り、原稿に記載された記号や数字等を抽出する技術が知られている。この技術により、多数枚の原稿から抽出したデータを集計等の処理に容易に利用することが可能となる。
【０００３】
例えば、特許文献１には、処理対象の原稿に手書きで処理対象の領域と処理の内容とを示す処理指示情報を記入し、これをスキャナで読み取ることにより、処理対象の領域と処理の内容とを特定し、処理指示書を作成する技術が開示されている。そして、この作成された処理指示書を用いて、チェック対象の原稿に記入された処理対象の領域に書き込まれた情報が抽出される。
【先行技術文献】
【特許文献】
【０００４】
【特許文献１】特開２００８−１４５６１１号公報
【発明の概要】
【発明が解決しようとする課題】
【０００５】
しかしながら、上記従来の情報処理装置には、つぎのような問題があった。オフィス等では、同一フォームの大量の書類において、例えば、特定の領域に記入され、別の領域が空欄となっているものを利用するために、作業者が目視でそれをチェックする作業が必要であった。
【０００６】
また、上記のようなチェック作業の結果によって、書類を仕分けする用途もあった。その場合、仕分けされた書類を保管する際、どのようなチェック内容で仕分けされた書類であるのかを、チェック作業を行った人以外の人にも分かるように、メモを添付したり、口頭で伝える必要があった。
【０００７】
しかし、特許文献１に記載の情報処理装置は、指定した領域に記入された情報を抽出するのみに過ぎず、上記のようなチェックが容易に行えないものであった。
【０００８】
さらに、チェック作業の結果により仕分けされた書類が、どのようなチェック内容で仕分けされた書類であるのかを容易に確認する手段がなかった。
【０００９】
そこで、本発明は、特定の領域に記入され、別の領域が空欄となっている原稿などの画像データを仕分けする際、作業者によるチェック作業を容易にすることができる情報処理装置を提供することを目的とする。また、本発明は、仕分けした作業者以外の者が、仕分けされた画像データを利用する場合、仕分け情報を正確に知らせることができる情報処理装置を提供することを他の目的とする。また、本発明は、このような情報処理装置の制御方法およびプログラムを提供することを目的とする。
【課題を解決するための手段】
【００１０】
上記目的を達成するために、本発明の情報処理装置は、原稿を読み取る読取手段を備え、前記読み取った原稿の画像データを処理する情報処理装置において、前記画像データの判定処理に用いられる判定処理内容を保持する保持手段と、前記保持手段によって保持された判定処理内容に従って、前記画像データの判定処理を行う判定手段と、前記判定処理の結果、前記画像データを仕分けする仕分け手段と、前記判定処理内容および前記判定処理の結果の少なくとも一方から、仕分け情報を生成する情報生成手段と、前記仕分け手段によって仕分けされた画像データに、前記仕分け情報を付加する情報付加手段とを備えたことを特徴とする。
【発明の効果】
【００１１】
本発明の請求項１に係る情報処理装置によれば、画像データの判定処理に用いられる判定処理内容に従って、原稿の画像データの判定処理を行い、判定処理の結果、画像データを仕分けし、仕分けされた画像データに仕分け情報を付加する。従って、仕分けが複数行われた場合でも、それぞれ仕分けされた画像データがどのような条件で仕分けされた画像データであるのかという情報を正確に画像データに付加することができる。
【００１２】
これにより、特定の領域に記入され、別の領域が空欄となっている原稿などの画像データを仕分けする際、作業者によるチェック作業を容易にすることができる。また、仕分けした作業者（ユーザ）以外の者が、仕分けされた画像データを利用する場合、仕分け情報を正確に知らせることができる。
【００１３】
請求項２に係る情報処理装置によれば、判定処理内容が記述されたチケットを用いて、簡単に画像データを仕分けすることができる。
【００１４】
請求項３に係る情報処理装置によれば、ユーザは特定される原稿の処理対象の領域を容易に指示することができる。
【００１５】
請求項４に係る情報処理装置によれば、テンプレートとなる原稿に含まれる色成分を、登録されている処理指示情報の指示色の色成分と異ならせるように変換し、ユーザに指示情報を付加させるためのテンプレートとなる原稿を印刷することができる。これにより、指示情報の認識エラーを低減させることができる。
【００１６】
請求項５に係る情報処理装置によれば、仕分け情報が付加された原稿の画像データを印刷する際、判定処理内容を示す仕分け情報をともに印刷することが可能になる。
【００１７】
請求項６−１６に係る情報処理装置によれば、仕分けされた画像データがどのような条件で仕分けされた画像データであるのかという情報を正確に画像データに保存することができる。また、保存したユーザ以外の者が、仕分けされた画像データを利用する場合、仕分け情報を正確に知らせることができる。
【図面の簡単な説明】
【００１８】
【図１】第１の実施形態における画像処理装置の構成を示すブロック図である。
【図２Ａ】原稿のフォームの一例を示す図である。
【図２Ｂ】図２Ａの原稿に含まれる各項目のうち、チェックを行わせるための任意の領域をユーザが色ペンを用いて付加した例を示す図である。
【図２Ｃ】チェック対象の原稿の例を示す図である。
【図３】スキャンチケットを作成する際の処理手順を示すフローチャートである。
【図４】図３につづくスキャンチケットを作成する際の処理手順を示すフローチャートである。
【図５】図３および図４につづくスキャンチケットを作成する際の処理手順を示すフローチャートである。
【図６】ステップＳ２４におけるスキャンチケットを用いてチェック対象の原稿のチェックを行う際の処理手順を示すフローチャートである。
【図７Ａ】操作部１６に表示された仕分け結果の例を示す図である。
【図７Ｂ】操作部１６に表示された仕分け結果の例を示す図である。
【図８】属性情報として仕分け情報が添付された仕分けデータのプロパティ画面および仕分け情報を示す図である。
【図９】保存された仕分けデータを印刷する場合の処理手順を示すフローチャートである。
【図１０】印刷する仕分けデータの選択画面および仕分け情報の印刷指示画面を示す図である。
【発明を実施するための形態】
【００１９】
本発明の情報処理装置、その制御方法およびプログラムの実施の形態について図面を参照しながら説明する。本実施形態の情報処理装置は、コピー機能、スキャナ機能などの各種機能を搭載した複合機である画像処理装置に適用された場合を示す。なお、これらの機能を連携させ、情報処理装置を複数の装置で実現させるようにしてもよい。
【００２０】
［第１の実施形態］
図１は第１の実施形態における画像処理装置の構成を示すブロック図である。画像処理装置１００は、ＣＰＵ１１、ＲＡＭ１８、ＲＯＭ１９、ハードディスクドライブ（ＨＤＤ）１３、プリンタ１４、スキャナ１５、操作部１６およびネットワークＩ／Ｆ１７がバス１２を介して接続された構成を有する。
【００２１】
ＣＰＵ１１は、ＲＯＭ１９に格納されたプログラムを、ＲＡＭ１８にロードすることによって画像処理装置１００全体の動作を制御する。また、ＣＰＵ１１は、バス１２を介して画像処理装置１００内の各部と通信を行う。
【００２２】
操作部１６は、ユーザが指示を行うための複数のキー、およびユーザに通知すべき各種情報を表示する表示部を含む。スキャナ（読取装置）１５は、ユーザが原稿台にセットした原稿上の画像をカラー画像として読み取り、この読み取りにより得られた電子データ（画像データ）をＨＤＤ１３、ＲＡＭ１８などに蓄積する。ＨＤＤ１３は、ハードディスクを含むハードディスクドライブであり、入力された各種情報を格納する。また、スキャナ１５は、原稿給送装置（図示せず）を有し、この原稿給送装置にセットされた複数枚の原稿を順次、原稿台に給送し、読み取ることも可能である。
【００２３】
プリンタ（印刷装置）１４は、入力された画像データに基づく画像を、記録紙（シート）に印刷する。ネットワークＩ／Ｆ１７は、画像処理装置１００をネットワーク２０に接続し、ネットワーク上の外部装置からのデータの受信、ネットワーク上の外部装置へのデータの送信を制御する。
【００２４】
なお、本実施形態の画像処理装置１００は、スキャナ１５を介して入力される画像データを処理する場合を示すが、その他、例えば、外部機器から送られてくる原稿の画像データを、ネットワークＩ／Ｆ１７を介して入力して処理する場合も、同様に処理可能である。
【００２５】
また、スキャナやプリンタが接続されたパーソナルコンピュータ（ＰＣ）等においても、同様に処理することが可能である。この場合、本実施形態で用いられるプログラムの全部または一部を、ネットワーク等を介してＰＣに提供したり、ＣＤ−ＲＯＭ等の記憶媒体に格納してＰＣに提供することが可能である。
【００２６】
つぎに、本実施形態で用いられる原稿の例について説明する。図２Ａは原稿のフォームの一例を示す図である。この原稿は、何も記入されていない状態のアンケート用紙２１である。このアンケート用紙２１には、回答者の性別、職業、年齢などを記入する欄２１ａや、設問事項の欄２１ｂ、それらに対する回答欄２１ｃなどが設けられている。回答者は、このアンケート用紙２１に、自身の情報や設問に対する回答を記入する。
【００２７】
図２Ｂは図２Ａの原稿に含まれる各項目のうち、チェックを行わせるための任意の領域をユーザが色ペンを用いて付加した例を示す図である。図２Ｂに示した原稿が処理指示書となる。この処理指示書は、作成されたアンケート用紙をチェックするユーザが、チェック対象のアンケート用紙と同一形式の用紙に後述する処理指示情報を書き込むことで、作成される。つまり、図２Ａに示したアンケート用紙に処理指示情報が書き込まれたものが、処理指示書となる。本実施形態では、ユーザが処理対象とする領域を指定するために色ペン等で該当する領域を矩形等の閉領域として囲む。
【００２８】
ここで、アンケート用紙２１に書き込まれる処理指示情報について説明する。図２Ｂにおいて、例えば、領域２２１、２２２、２２３、２２４、２２５は、処理対象とする領域を指定するために、赤色のペンで書き込まれた領域である。つまり、回答者が「女性・既婚・会社員・３０代」であり、かつＱ１に回答が記入されたアンケート用紙をチェックする（仕分けする）ことが示される。
【００２９】
なお、赤色以外の色を使うことも可能であり、チェック内容に応じて色の種類を減らしたり、増やしたりしてもよい。また、ここでは、ペンを用いているが、色を付けられるものであれば、ペンに限られることはない。
【００３０】
そして、ユーザは、操作部１６を用い、事前に使用すべき処理指示情報の色の情報と処理内容とを、それぞれ対応付けてＲＡＭ１８に登録する。すなわち、赤色に対して記述があることをチェックすることがＲＡＭ１８に登録される。ＣＰＵ１１は、ここで登録された各色の色成分（例えば、色相等）を判定し、その内容をＲＡＭ１８に記憶する。
【００３１】
なお、色の登録を行う場合、ユーザが操作部１６を介して登録を行う代わりに、用紙に書き込んだものをスキャナ１５によって読み取らせて登録を行うようにしてもよい。また、ユーザが色の登録を行う代わりに、画像処理装置１００に予め色の情報と処理内容が登録されていてもよい。予め登録された内容に従って処理を行う場合、ユーザは、登録されている色と処理内容に従って、原稿に処理指示情報を付加する。
【００３２】
このように、画像処理装置１００は、使用すべき処理指示情報の色成分とそれに対応した処理内容を登録しておき、これらをもとに処理指示書を作成する。
【００３３】
画像処理装置１００は、この処理指示書を用いて、処理指示情報を抽出し、この抽出結果に応じて処理内容（判定処理内容）を認識する。そして、画像処理装置１００は、この認識した処理内容に従って、チェック対象の原稿について、原稿の特定の領域に情報があるか否か、空欄か否かをチェックする。
【００３４】
図２Ｃはチェック対象の原稿の例を示す図である。ここでは、チェック対象の原稿は、図２Ａ、図２Ｂと同一の形式の原稿に基づくものであることを前提とする。本実施形態では、チェック対象の原稿は、回答が記入されたアンケート用紙である。
【００３５】
画像処理装置１００は、図２Ｂに示すように付加された処理指示情報を抽出し、この抽出結果をもとに、領域２３１、２３２、２３３、２３４、２３５に記載があることをもって、チェック対象の原稿は正常であると判定する。図２Ｃに示す原稿は、正常と判定するための条件を全て満たしている例であるので、この原稿のチェック結果は正常（ＯＫ）となる。一方、１箇所でも正常と判定する条件を満たさない原稿のチェック結果は異常（ＮＧ）となる。
【００３６】
なお、チェックの内容や領域はこれらに限られるものではなく、他のチェック内容の指示や他の領域に対して指示することも可能である。
【００３７】
つぎに、図２Ｂに示す処理指示書に基づき、原稿の記載内容のチェックを実行させるためのスキャンチケットを作成する処理について説明する。
【００３８】
ここで、スキャンチケットとは、図２Ｂの指示内容を認識し、図２Ｃなどのようなチェック対象の原稿のチェック方法（判定処理内容）を、画像処理装置１００が認識可能な形式（例えば、ＱＲコード（登録商標））で記述されたチケットである。
【００３９】
スキャンチケットには、図２Ｂの原稿から認識した指示内容、およびこの指示内容を適用する領域の位置情報などが含まれる。チェック対象の原稿のチェックを行う際、ＣＰＵ１１は、スキャナ１５によりスキャンチケットを読み取って処理内容を認識し、チェック対象の原稿をチェックする。スキャンチケットの内容が仕分けの条件を示している場合、チェックした結果、ＯＫと判定された原稿は、仕分け条件に該当するものとして仕分けされる。
【００４０】
図３、図４および図５はスキャンチケットを作成する際の処理手順を示すフローチャートである。このフローチャートは、ＣＰＵ１１が、ＲＯＭ１９に格納されたプログラムをＲＡＭ１８にロードして実行する際の処理の流れを示す。ユーザにより操作部１６を介してスキャンチケット作成が指示されると、本処理が開始される。
【００４１】
ＣＰＵ１１は、操作部１６に、ＲＡＭ１８に登録されている処理指示情報の指示色（以下、単に指示色という）と処理内容の組合せを表示させる（ステップＳ１）。例えば、ＣＰＵ１１は、操作部１６に「赤色で囲まれた領域内に記述があればＯＫとします」などを表示する。
【００４２】
ＣＰＵ１１は、操作部１６に、ステップＳ１で表示した指示色と処理内容で良いか否かをユーザに問い合せる表示を行わせる（ステップＳ２）。この問合せに対し、ユーザから操作部１６を介して否定する旨の指示が行われたと判定すると、ＣＰＵ１１は、指示色と処理内容の組合せの変更を行う旨の表示を操作部１６に行わせる（ステップＳ４）。
【００４３】
ここでは、ＣＰＵ１１は、いずれの色を変更するかを問合せる表示を行い、指示された色に代えて新たな色を提示するようにしてもよいし、ユーザが操作部１６によって任意の色を指定するようにしてもよい。また、新たな色とするのではなく、単に色と処理内容の組合せを変更するだけでもよい。このとき、ＣＰＵ１１は、同じ色で異なる処理内容の指示を行うことができないので、１つの色に対して１つの処理内容となるように制御を行う。
【００４４】
ステップＳ４で指示色あるいは処理内容、または指示色と処理内容の両方の変更処理が行われると、ＣＰＵ１１は、操作部１６に対してステップＳ１の表示を行わせる。ここでは、ステップＳ４で変更処理が行われたことをユーザが確認できるように、表示が行われる。
【００４５】
ステップＳ２の問合せに対し、ユーザから操作部１６を介して肯定する旨の指示が行われたと判定すると、ＣＰＵ１１は、使用すべき処理指示情報の指示色と、それに対応する処理内容とを決定し、ＲＡＭ１８に登録する。
【００４６】
なお、ステップＳ２の判定は、ユーザに目視で原稿の内容（原稿に含まれている色）を確認させ、指示色の色成分と原稿に含まれる色成分とが類似していると判断される場合、互いに異なるものとし、処理指示情報の抽出エラーを防止するものである。
【００４７】
また、ステップＳ２の確認の結果、原稿に含まれる色成分と指示色の色成分とが類似していると判定された場合、後述するように、原稿のモノクロコピーを行うようにしてもよい。この場合、ＣＰＵ１１は、原稿をセットするように促す表示を操作部１６に行わせ、これに対し、ユーザにより原稿がセットされたと判断すると、モノクロコピーを実行する。これによっても、有彩色の色ペンで処理指示情報を付加した場合の処理指示情報の抽出エラーを防止することができる。このように、ユーザへの確認結果を判定することにより、原稿をスキャナで読み取らせる回数を減らすことができる。
【００４８】
ＣＰＵ１１は、ステップＳ２において、指示色と処理内容がＯＫであったと判断した場合、ここで処理指示情報に用いられる色成分を特定してＲＡＭ１８に記憶する。ＣＰＵ１１は、ユーザの手許に、チェック対象原稿（図２Ｃ）のみ存在しているか否かを問合せる表示を操作部１６に行わせる（ステップＳ３）。これは、処理指示書を作る際、テンプレートとなる原稿（図２Ａまたは図２Ｂ）が存在しているか否かを確認するものである。つまり、これは、チェック対象の原稿しかユーザの手許にない場合、後述するように、チェック対象の原稿から処理指示情報を書き込むための原稿を作成することができるようにするためである。ここで、テンプレートとは、正式なチェック対象の原稿ではなく、ユーザが処理指示情報を書き加えることができるものを指す。
【００４９】
ＣＰＵ１１は、ステップＳ３で操作部１６を介して、チェック対象原稿のみ存在している（テンプレートとなる原稿が存在しない）との応答を受けると、スキャナ１５にチェック対象原稿をセットすることを促す表示を操作部１６に行わせる（ステップＳ５）。
【００５０】
ここでは、例えば「チェック対象原稿の１枚をスキャナにセットしてください。セットしたらＯＫボタンを押してください」という案内表示、および原稿がセットされたことを認識するためのＯＫボタンの表示が行われる。そして、ＣＰＵ１１は、ＯＫボタンが押されたことで原稿が置かれたことを認識する。なお、原稿台の下部に設けられたフォトインタラプタや原稿給送装置の原稿センサ等を用いて、ＣＰＵ１１は、スキャナ１５に原稿がセットされたことを自動で認識するようにしてもよい。
【００５１】
ＣＰＵ１１は、ステップＳ５でＯＫボタンが押されたと判断すると、スキャナ１５にチェック対象の原稿の画像を読み取らせる（ステップＳ６）。さらに、ステップＳ６において、ＣＰＵ１１は、スキャナ１５から入力された画像データを、モノクロ画像データに変換し、それをプリンタ１４に出力して記録紙へのモノクロコピー出力を行わせる。
【００５２】
なお、ステップＳ６では、原稿をモノクロ化してプリンタ１４で印刷したが、これに限られることはない。例えば、読み取った原稿の画像の色を、指示色が含まれない他の色に変換して印刷することも可能である（第２の印刷手段）。また、例えば、読み取った原稿中の赤い文字を青い文字に変えて出力するなど、色を変換して出力するようにしてもよい。この他、ＲＡＭ１８に予め色変換を行う色を登録しておき、その登録色と同じ色が読み取られた原稿にあった場合、色変換を行うようにしてもよい。
【００５３】
ＣＰＵ１１は、ステップＳ６でプリンタ１４によって出力された記録紙に、図２Ｂに示すような処理指示情報を書き込むことを促す表示を操作部１６に行わせる（ステップＳ７）。この後、ＣＰＵ１１はステップＳ１７の処理に進む。
【００５４】
ステップＳ３でテンプレート原稿が存在する旨の応答があると、ＣＰＵ１１は、操作部１６にテンプレートに処理指示情報が既に記載されている（図２Ｂ）か否かを問い合せる表示を行う（ステップＳ８）。
【００５５】
この表示に対し、ＣＰＵ１１は、テンプレートに処理指示情報が記載されていないことを示すユーザからの応答を、操作部１６を介して受けると、スキャナ１５にテンプレートをセットすることを促す表示を操作部１６に行わせる（ステップＳ９）。例えば、「テンプレートをスキャナにセットしてください。セットしたら、ＯＫボタンを押してください」という案内表示、およびＯＫボタンの表示が行われる。ＣＰＵ１１は、ユーザによりＯＫボタンが押されたことで、原稿が置かれたことを認識する。なお、ステップＳ５と同様、原稿台の下部に設けられたフォトインタラプタや原稿給送装置の原稿センサ等を用いて、スキャナ１５に原稿が置かれたことが自動で認識されるようにしてもよい。
【００５６】
ステップＳ９でＯＫボタンが押されると、ＣＰＵ１１は、テンプレートの原稿の画像をスキャナ１５に読み取らせる（ステップＳ１０）。
【００５７】
この読み取りにより得られた画像データに対し、ＣＰＵ１１は、指示色と同じ色成分の色が含まれているか否かを判定するための解析・認識処理を行う（ステップＳ１１）。この色成分の解析・認識処理では、ＣＰＵ１１は、例えば赤色が含まれるか否かを解析・認識する場合、赤の色相抽出を行って解析・認識する。この色成分の解析・認識では、公知の種々の方法を採用することが可能である。また、色相以外のパラメータを用いてもよいし、他のパラメータを組み合わせてもよい。
【００５８】
ＣＰＵ１１は、ステップＳ１１で解析・認識した色に、ＲＡＭ１８に登録された指示色と同じものが含まれているか否かを判断する（ステップＳ１２）。ここで、指示色とステップＳ１１で解析・認識した色が同じであるか否かの判断は、完全一致のみでなく、ある範囲を持たせて同じと判断することも可能である。例えば、ＲＧＢ値が２５６段階で表されている場合、解析・認識した色と指示色のＲＧＢ値とを比較した結果、プラスマイナス２０以内である場合、同じであると判断するようにしてもよい。なお、ここで示した方法以外の方法で、同じ色と判断する方法を適用することも可能である。
【００５９】
ステップＳ１２でＲＡＭ１８に登録された指示色と同じ色がテンプレートの画像に含まれていると判断された場合、ＣＰＵ１１は、スキャナ１５にテンプレートをセットすることを促す表示を操作部１６に行わせる（ステップＳ１３）。例えば、「テンプレートをスキャナにセットしてください。セットしたらＯＫボタンを押してください」という案内表示、およびＯＫボタンの表示が行われる。
【００６０】
ＣＰＵ１１は、ＯＫボタンが押されたことで原稿が置かれたことを認識する。なお、ステップＳ５、Ｓ９の場合と同様、原稿台の下部に設けられたフォトインタラプタや、原稿給送装置の原稿センサ等を用いて、スキャナ１５に原稿が置かれたことが自動で認識されるようにしてもよい。
【００６１】
ステップＳ１３でＯＫボタンが押されると、ＣＰＵ１１は、スキャナ１５にチェック対象の原稿の画像を読み取らせる（ステップＳ１４）。ＣＰＵ１１は、スキャナ１５から入力された画像データをモノクロ画像データに変換し、それをプリンタ１４に出力することで、記録紙へのモノクロコピー出力を行わせる。
【００６２】
なお、ステップＳ１４では、原稿をモノクロ化してプリンタ１４で印刷したが、これに限られることはない。これに代わる処理として、前述したステップＳ６の処理で示したように種々の方法を採用することができる。
【００６３】
ＣＰＵ１１は、ステップＳ１４でプリンタ１４によって出力された記録紙に、図２Ｂのような処理指示情報を書き込むことを促す表示を操作部１６に行わせる（ステップＳ１５）。この後、ＣＰＵ１１はステップＳ１７の処理に進む。
【００６４】
一方、ステップＳ１２で、ＲＡＭ１８に登録されている指示色と同じ色がテンプレートの画像に含まれていないと判断した場合、ＣＰＵ１１は、テンプレート原稿に図２Ｂのような処理指示情報を書き込むことを促す表示を操作部１６に行わせる（ステップＳ１６）。この後、ＣＰＵ１１はステップＳ１７の処理に進む。
【００６５】
前述したように、ステップＳ８で、ＣＰＵ１１は、操作部１６に対し、テンプレートに既に処理指示情報が記載済みか否かを確認する表示を行わせる。この表示に対し、テンプレートに指示情報が記載済であることを示す応答を、操作部１６を介して受けたと判断した場合、ＣＰＵ１１は、指示情報が記載済であるテンプレートの原稿の画像をスキャナ１５に読み取らせる（ステップＳ１７）。また、ステップＳ７、Ｓ１６、Ｓ１５の処理後、同様に、ＣＰＵ１１はステップＳ１７の処理を行う。なお、ステップＳ１７の処理は読込手段の一例である。
【００６６】
ここでは、ＣＰＵ１１は、前述したモノクロコピー出力と同様の手順で原稿を読み取らせる。即ち、ＣＰＵ１１は、操作部１６に対し、指示情報が記載済みである原稿のセットを促す表示を行う。これに対し、ユーザが原稿をセットした後にＯＫボタンが押されると、ＣＰＵ１１は、スキャナ１５に原稿の読み取りを行わせる。ただし、ここでは、ＣＰＵ１１は、スキャナ１５で読み取って得た画像データのモノクロ画像データへの変換を行わない。ここで得られた画像データはＲＡＭ１８に記憶される。
【００６７】
ＣＰＵ１１は、スキャナ１５から入力された画像データから処理指示情報の解析・認識処理を行う（ステップＳ１８）。ここでは、まず、ＣＰＵ１１は、ステップＳ２で決定された指示色が原稿のどこにあるかを解析し、その部分の色を認識することで、色毎に対象領域の位置を特定する。ここで特定される位置は、原稿のどの位置にどの大きさの処理対象の領域が存在するかを判別可能なものである。例えば、対象領域の位置は、座標によって特定される。そして、ＣＰＵ１１は、この特定された位置と、ステップＳ２で決定された処理内容とを対応付けてＲＡＭ１８に記憶する。
【００６８】
ＣＰＵ１１は、ステップＳ１８で解析・認識した結果を操作部１６に表示させる（ステップＳ１９）。例えば、特定した処理指示情報に対応する領域の座標やその領域に対する処理内容が表示される。なお、ＣＰＵ１１は、読み取った原稿のサムネイル画像を表示し、その画像と対応させてどの位置に処理指示情報があり、その処理内容がどういったものかを識別可能に表示させるようにしてもよい。
【００６９】
ＣＰＵ１１は、ステップＳ１９で表示した内容で正しいか否かをユーザに確認させる表示を操作部１６に行わせる（ステップＳ２０）。ＣＰＵ１１は、この確認に対し、ユーザから否定する応答を、操作部１６を介して受けると、ステップＳ１７で読み取ったテンプレートの原稿の画像をプリンタ１４でモノクロ出力するか否かを確認する表示を操作部１６に行わせる（ステップＳ２５）。
【００７０】
ＣＰＵ１１は、これに肯定する応答を、操作部１６を介して受け取ると、ステップＳ１７で読み取ったテンプレートの原稿の画像をモノクロ画像データに変換し、プリンタ１４にモノクロコピー出力を行わせる（ステップＳ２６）。即ち、正しく処理指示情報が抽出できなかった場合、画像処理装置１００は、処理指示情報が付加された処理指示書をモノクロコピーで出力する。
【００７１】
そして、画像処理装置１００は、このモノクロコピーで出力された処理指示書を用いて再び処理指示情報を付加させる。なお、ステップＳ２６では、原稿をモノクロ化してプリンタ１４で印刷する場合を示したが、これに限られることはない。これに代わる処理として、ステップＳ６で前述したように、種々の方法を採用することができる。
【００７２】
ＣＰＵ１１は、ステップＳ２６でプリンタ１４によって出力された記録紙に、処理指示情報を書き込むことを促す表示を操作部１６に行わせる（ステップＳ２７）。この後、ＣＰＵ１１はステップＳ１７の処理に戻る。
【００７３】
一方、ＣＰＵ１１は、ステップＳ２５でユーザからモノクロコピー出力を行わないことを示す指示を、操作部１６を介して受けると、処理指示書を新たに作成するか否かを確認する表示を操作部１６に行わせる（ステップＳ２８）。
【００７４】
ＣＰＵ１１は、この確認に対し、新たに処理指示書を作成することを示す指示を、操作部１６を介して受けると、新たに作成した処理指示書をスキャナ１５にセットするように促す表示を操作部１６に行わせる（ステップＳ２９）。この後、ＣＰＵ１１はステップＳ１７の処理に戻る。
【００７５】
一方、ＣＰＵ１１は、ステップＳ２８で新たに処理指示書を作成しないことを示す指示を、操作部１６を介して受けると、本処理を終了する。
【００７６】
ステップＳ２７、ステップＳ２９の表示に引き続き、ユーザが原稿をセットし、操作部１６を介してＯＫボタンを押すなどの読み取りの指示が行われると、ＣＰＵ１１は、前述したステップＳ１７の処理を再び実行する。
【００７７】
一方、ＣＰＵ１１は、ステップＳ２０で解析結果が正しかったことを示す応答を、操作部１６を介して受け取ると、この解析内容を処理指示情報の抽出結果としてＲＡＭ１８（保持手段）に記憶する。そして、ＣＰＵ１１は、スキャンチケットを作成するか否かの問合せ表示を操作部１６に行わせる（ステップＳ２１）。
【００７８】
この表示に対し、ＣＰＵ１１は、肯定する応答を、操作部１６を介して受けると、解析内容のコード化を行う（ステップＳ２２）。この解析内容のコード化とは、ステップＳ１９で表示した解析結果を、例えば２次元コード（例えばＱＲコード（登録商標）等）を使ってコード化することを指す。また、コード化される内容には、処理が指示された領域とその領域に対する処理内容が含まれる。また、ここでは、２次元コードを例に説明するが、これ以外の方法でコード化してもよく、画像処理装置１００が解析・認識可能なものであれば、これに限られることはない。
【００７９】
ＣＰＵ１１は、ステップＳ２２で作成されたコード化したものを、画像としてプリンタ１４で記録紙に出力させて印刷する（ステップＳ２３）。この印刷されたスキャンチケットを用いて、ＣＰＵ１１は、チェック対象の原稿のチェックを実行することが可能である。
【００８０】
ただし、ステップＳ２０で解析結果が正しいと判断された場合、ステップＳ１７でスキャナ１５により読み取らせた処理指示書は正しく認識されているので、ステップＳ２１〜Ｓ２３の処理を行わず、この処理指示書をスキャンチケットとしてもよい。この場合、画像処理装置１００は、チェック時に処理指示書から処理内容等を認識する。
【００８１】
また、ＣＰＵ１１は、ステップＳ２１の問合せに対し、否定する応答を、操作部１６を介して受けると、ステップＳ２０で登録した解析内容を特定するためのＩＤを操作部１６に表示させる。これは、チェック原稿のチェックを行わせる際、この解析内容を特定し、ＲＡＭ１８から読み出して利用可能にするためである。なお、このＩＤは、ＣＰＵ１１が提示するものである以外に、ユーザが所望のＩＤとして操作部１６から指定するものであってもよい。ここで決定されたＩＤと解析内容とは、対応付けられてＲＡＭ１８に記憶される。その後、ＣＰＵ１１は、ステップＳ２４の処理に進む。
【００８２】
ＣＰＵ１１は、このように認識された処理指示情報とそれに対応する処理内容に従って、チェック対象の原稿のチェックを行う（ステップＳ２４）。この処理の詳細については後述する。
【００８３】
このような処理により、原稿に含まれる色成分を指示色の色成分と異ならせるように変換し、処理指示情報をユーザに付加させるための原稿を印刷させることができる。これにより、処理指示書に付加された処理指示情報を正しく認識することができる。即ち、処理指示情報の認識エラーを低減させることができる。また、ユーザに対し、その際の作業を適切に案内（例えば、モノクロコピー出力を促す案内の通知）することができ、ユーザによる作業ミスを低減させることができる。なお、上記フローチャートに示した処理を全て実行する必要はなく、一部の処理のみ実行するようにしてもよい。
【００８４】
つぎに、このようにして作成されたスキャンチケットを用いて、抽出した処理指示情報に応じた原稿のチェックを行う手順について詳しく説明する。
【００８５】
図６はステップＳ２４におけるスキャンチケットを用いてチェック対象の原稿のチェックを行う際の処理手順を示すフローチャートである。このフローチャートは、ＣＰＵ１１が、ＲＯＭ１９に格納されたプログラムをＲＡＭ１８にロードして実行する処理の流れを示す。なお、ここでは、ステップＳ２１でスキャンチケットを作成することが指示された場合について説明するが、ステップＳ２１〜Ｓ２３の処理を行わずに処理指示書をスキャンチケットとして用いる場合も同様である。
【００８６】
ユーザにより操作部１６を介してチェック対象原稿のチェックが指示されると、本処理が開始する。まず、ＣＰＵ１１は、操作部１６に対し、ステップＳ２３でプリントしたスキャンチケットを１枚目とし、その後にチェック対象の原稿を重ねて原稿給送装置にセットすることを促す表示を行わせる（ステップＳ３１）。
【００８７】
原稿がセットされた後、ユーザにより操作部１６のＯＫボタンが押されるなど、原稿の読み取りが指示されると、ＣＰＵ１１は、原稿給送装置にセットされた原稿を順次給送し、スキャナ１５による原稿の読み取りを開始させる（ステップＳ３２）。
【００８８】
ここでは、まず、ＣＰＵ１１は、原稿給送装置にセットされた原稿のうち１枚目であるスキャンチケットを給送し、スキャナ１５にスキャンチケットを読み取らせる（第２の読取手段）。これに引き続き、ＣＰＵ１１は、スキャンチケットに重ねてセットされたチェック対象の原稿を順次読み取らせる。なお、チェック対象の原稿は複数枚重ねてセット可能である。また、一連の原稿であることを操作部１６から指定することにより、多数枚の原稿を複数束に分けて原稿給送装置にセットすることも可能である。
【００８９】
ＣＰＵ１１は、ステップＳ３２で読み取った１枚目の原稿、つまりスキャンチケットの画像の解析・認識処理を行う（ステップＳ３３）。ここでは、ＣＰＵ１１は、読み取ったスキャンチケット内の２次元コード等を解析し、処理指示の対象となる領域（位置）と処理内容の認識を行う。認識した結果はＲＡＭ１８（保持手段）に格納される。
【００９０】
ＣＰＵ１１は、ＲＡＭ１８に格納された認識結果を用いて、２枚目以降のチェック対象原稿に対し、解析・認識処理を行う（ステップＳ３４）。
【００９１】
例えば、図２Ｃに示すチェック対象の原稿の場合、領域２３１、２３２、２３３、２３４、２３５に記載があると、ＣＰＵ１１は正常であると認識する。例えば、ＣＰＵ１１は、ある領域の画像に対して所定の閾値で２値化処理を行い、白画素（画像がない）数が面積の８０％以上である場合、空欄と認識する。
【００９２】
また、ＣＰＵ１１は、ある領域の画像に対して所定の閾値で２値化処理を行い、黒画素（画像がある）数が面積の２０％以上である場合、記載ありと認識する。また、ＣＰＵ１１は、ある領域の画像に対して赤または赤の近傍の色相を抽出し、これを２値化処理して画素が存在する割合が２０％以上である場合、記述ありと認識する。なお、これらの割合を示す数値は一例であり、他の数値であってもよい。また、認識の方法も他のものを採用してもよい。
【００９３】
ＣＰＵ１１は、チェック対象の原稿のページ番号とそのページに対する認識結果を順次ＲＡＭ１８に蓄積する。ここでは、ＣＰＵ１１は、１枚のチェック対象の原稿に対して全ての認識結果が正常である場合にＯＫとし、１つでも正常と認識されなかった場合にＮＧとする。
【００９４】
チェック対象原稿の全てについての認識処理が終了すると、ＣＰＵ１１はＲＡＭ１８に蓄積した全ての原稿に対する結果の集計を行う。この結果の集計には、例えば、チェックしたチェック対象原稿の総枚数、ＮＧと判定された領域数、ＮＧと判定された領域を含む原稿のページ番号などを集計することが含まれる。
【００９５】
このページ番号は、スキャナ１５によって読み込んだ順番（原稿給送装置から給送させた順序）であって、スキャンチケットを除くチェック対象原稿の１枚目から１ページ目とされる。ここに示した以外の情報もＲＡＭ１８に蓄積された情報から識別し得るものがあれば、さらに集計してもよい。なお、ここでは、ＲＡＭ１８に蓄積する場合を示したが、ＨＤＤ１３に蓄積しても同じ処理が可能である。
【００９６】
この後、ＣＰＵ１１は、操作部１６に対し、ステップＳ３４で行った結果を仕分け結果として表示させる（ステップＳ３５）。
【００９７】
図７Ａおよび図７Ｂは操作部１６に表示された仕分け結果の例を示す図である。図７Ａ（a）の仕分け結果表示画面は、チェックした原稿の枚数と、ＯＫと判定された枚数（つまりスキャンチケットが示す仕分け条件に該当した原稿の枚数）が表示された画面の例である。また、この画面には、仕分けされた画像データ（以下、仕分けデータともいう）を保存する手順に進むためのボタン５０１が設けられている。
【００９８】
ＣＰＵ１１は、画像データ（書類データ）を保存するために、仕分け情報を添付する画面を表示させる（ステップＳ３６）。図７Ａ（b）の仕分け情報添付画面には、添付する情報をユーザに選択させることを可能にするために、各情報に対して添付するか否かの選択可能なボタン５１１〜５１４が設けられている。例えば、「チェック枚数」、「該当総ページ数」、「保存先フォルダ情報」および「チケット情報」の全てを添付する場合、ユーザは全てのボタン５１１〜５１４を選択すればよい。このように、種々の情報を含ませて、仕分け情報を生成することが可能である（情報生成手段）。
【００９９】
ここで、保存先フォルダ情報とは、後述する仕分けデータを保存する格納フォルダ（場所）に関する情報である。また、チケット情報とは、チェックに使用されたスキャンチケットに関する情報である。スキャンチケットが既に特定のフォルダに保存されている場合、チケット情報として、そのフォルダを示す情報などが該当する。
【０１００】
ＣＰＵ１１は、ユーザによって選択された添付する仕分け情報および添付方法を取得する（ステップＳ３７）。図７Ａ（c）には、仕分け情報を添付するか否かを選択する仕分け情報添付画面の例が示されている。
【０１０１】
ここで添付される仕分け情報は、仕分け処理に使用されたスキャンチケットの内容、つまり仕分け条件の内容を指す。仕分け情報には、チェックを行った領域を確認できるチケットのサムネイルや、指示された領域に対して行ったチェックの内容などが記載される。チェックの内容として、「仕分け条件：  赤枠内に記載があること」が示されている。
【０１０２】
ここで、ユーザがこの仕分け情報を添付するボタン５３１を選択した場合、操作部１６の画面は、図７Ｂ（d）に示すように、仕分け情報を添付する方法を選択する画面（仕分け情報添付画面）に遷移する。仕分け情報を添付する位置として、仕分けデータの先頭ページ、最終ページなどを選択することができる。また、仕分けデータを印刷した場合にのみ仕分け条件のページを同時に印刷する方法も選択することができる。
【０１０３】
また、仕分け情報を属性情報として添付する方法も選択することができる。この場合、仕分けデータのプロパティ情報を参照すると、仕分け条件を確認することができる。図８は属性情報として仕分け情報が添付された仕分けデータのプロパティ画面および仕分け情報を示す図である。このファイルには、仕分け情報が添付されているので、図８（ａ）のプロパティ画面の属性の項目内には、「添付ファイル表示」ボタン７１が表示される。この「添付ファイル表示」ボタン７１を選択すると、図８（b）に示すように、添付されている仕分け情報が表示される。添付されている仕分け情報には、チェックを行った領域を確認できるチケットのサムネイルや、指示された領域に対して行ったチェックの内容などが記載される。前述と同様、チェックの内容として、「仕分け条件：  赤枠内に記載があること」が示されている。
【０１０４】
図７Ｂ（e）には、仕分けデータの保存先を指定する画面（仕分けデータ保存フォルダ画面）の例が示されている。この仕分けデータ保存フォルダ画面で、ユーザにより仕分けデータの保存先が指定されると、ＣＰＵ１１は、指定された保存先に、仕分け情報が添付された画像データを保存する（ステップＳ３８）。このステップＳ３８の処理は情報付加手段の一例である。この後、ＣＰＵ１１は本処理を終了する。
【０１０５】
例えば、仕分けデータの保存先として、画像処理装置１００に付属されたＨＤＤ１３に設けられた複数のフォルダから、ユーザによって選択されたフォルダが指定される。また、ネットワークで他のＰＣやサーバに画像処理装置１００が接続されている場合、このネットワークを介して他のＰＣやサーバ上のＨＤＤに、仕分けデータが保存されるようにしてもよい。
【０１０６】
また、ここでは、仕分けデータをユーザが指定したフォルダに保存する例を挙げたが、複合機がＳｅｎｄ機能（ファイルを電子メールで送信する電子メール送信機能）を持つ場合、その機能を用いて仕分けデータを特定のアドレス宛て（宛先）に送信してもよい。
【０１０７】
第１の実施形態の画像処理装置によれば、原稿の特定の領域に情報があるか否かをチェックして原稿の画像データを仕分けした後、仕分けされた原稿の画像データに対し、チェックした内容を示す仕分け情報が添付されたデータとして保存することが可能になる。従って、仕分け処理が複数行われた場合でも、それぞれの仕分けデータがどのような条件で仕分けされたデータであるかという情報を正確に添付することができる。また、仕分けデータを保存したユーザ以外の者が、保存された仕分けデータを利用する場合にも、仕分け情報を正確に知らせることができる。
【０１０８】
このように、画像データの判定処理に用いられる判定処理内容に従って、原稿の画像データの判定処理を行い、判定処理の結果、画像データを仕分けし、仕分けされた画像データに仕分け情報を付加する。これにより、特定の領域に記入され、別の領域が空欄となっている原稿などの画像データを仕分けする際、作業者によるチェック作業を容易にすることができる。
【０１０９】
また、判定処理内容が記述されたスキャンチケットを用いて、簡単に画像データを仕分けすることができる。また、ユーザは原稿の特定の領域を容易に指示することができる。また、原稿に含まれる色成分をユーザによって指示される指示色の色成分と異ならせるように変換して、ユーザに指示情報を付加させるための原稿を印刷することができる。これにより、指示情報の認識エラーを低減させることができる。
【０１１０】
［第２の実施形態］
第２の実施形態では、保存された仕分けデータを印刷する場合について説明する。第２の実施形態の画像処理装置の構成は、前記第１の実施形態と同じであるので、その説明を省略する。また、スキャンチケットの生成方法、原稿の仕分けチェック作業手順、仕分けデータの保存方法等は、前記第１の実施形態と同様であるので、これらの説明についても省略する。
【０１１１】
図９は保存された仕分けデータを印刷する場合の処理手順を示すフローチャートである。このフローチャートは、ＣＰＵ１１が、ＲＯＭ１９に格納されたプログラムをＲＡＭ１８にロードして実行する処理の流れを示す。ここで、保存されている仕分けデータは、図７Ｂ（ｄ）の画面において、仕分け情報を「属性情報として添付する」が選択された場合の仕分けデータであるとする。
【０１１２】
ＣＰＵ１１は、印刷する仕分けデータを選択する際の画面を表示する(ステップＳ５１)。図１０は印刷する仕分けデータの選択画面および仕分け情報の印刷指示画面を示す図である。同図（ａ）の印刷画面には、ユーザによって選択される、印刷する仕分けデータが表示される。印刷する仕分けデータを選択するために、仕分けデータごとに、Ｂｏｘ番号、名称、使用量が示されている。これらの仕分けデータのいずれかを選択し、ボタン５６１を選択することで、印刷が行われる。
【０１１３】
ここでは、ＨＤＤ１３に保存されている仕分けデータが選択される。ネットワークで他のＰＣやサーバに画像処理装置１００が接続されている場合、ネットワークを介して他のＰＣやサーバ上のＨＤＤに保存されている仕分けデータを選択することも可能になる。
【０１１４】
ＣＰＵ１１は、選択された仕分けデータを出力するために、印刷データを生成する（ステップＳ５２）。選択された仕分けデータには、属性情報として仕分け情報が添付されている。
【０１１５】
同図（ｂ）の印刷画面は、仕分けデータに添付されている仕分け情報を、仕分けデータとともに印刷をするか否かをユーザに選択させる画面である。ＣＰＵ１１は、仕分け情報も印刷するか否かを判別する（ステップＳ５３）。仕分け情報を印刷する場合、ユーザにより印刷ボタン８５が選択される。ＣＰＵ１１は、仕分け情報の印刷データを生成する（ステップＳ５４）。そして、ＣＰＵ１１は、ステップＳ５２とステップＳ５４で生成された印刷データの出力を行わせる（ステップＳ５５）。このステップＳ５５の処理は第３の印刷手段の一例である。この後、ＣＰＵ１１は本処理を終了する。
【０１１６】
一方、ステップＳ５３で仕分け情報が印刷されない場合、ＣＰＵ１１は、ステップＳ５５で、ステップＳ５２で生成された印刷データのみの出力を行わせる。この後、ＣＰＵ１１は本処理を終了する。
【０１１７】
このように、第２の実施形態の画像処理装置によれば、属性情報として仕分け情報が添付された仕分けデータを印刷する際、チェックした内容を示す仕分け情報も共に印刷することが可能になる。
【０１１８】
なお、本発明は、上記実施形態の構成に限られるものではなく、特許請求の範囲で示した機能、または本実施形態の構成が持つ機能が達成できる構成であればどのようなものであっても適用可能である。
【０１１９】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【０１２０】
１１  ＣＰＵ
１４  プリンタ
１５  スキャナ
１６  操作部
１８  ＲＡＭ
２１  アンケート用紙
２２１、２２２、２２３、２２４、２２５  領域
【図１】
2011119895.tif 000003
【図２Ａ】
2011119895.tif 000004
【図２Ｂ】
2011119895.tif 000005
【図２Ｃ】
2011119895.tif 000006
【図３】
2011119895.tif 000007
【図４】
2011119895.tif 000008
【図５】
2011119895.tif 000009
【図６】
2011119895.tif 000010
【図７Ａ】
2011119895.tif 000011
【図７Ｂ】
2011119895.tif 000012
【図８】
2011119895.tif 000013
【図９】
2011119895.tif 000014
【図１０】
2011119895.tif 000015